(57)【要約】【課題】記憶手段を有する入場用媒体においても、何回でも異なる人に再発行できるようにして、省資源化を図ることを可能にした車両通行用媒体セットを提供する。【解決手段】２つの車両通行用媒体を組み合わせて、特定の場所へ入場する車両の通行管理を行う際に用いる車両通行用媒体セットであって、前記２つの車両通行用媒体の内、第１の車両通行用媒体には、基材シートに記憶手段を有する非接触ＩＣタグが内蔵され、前記記憶手段に入場用媒体毎に異なる識別番号と、入場用媒体の有効期間に関する情報とが記憶され、また、第２の車両通行用媒体には、前記識別番号と、前記有効期間に関する情報と、通行が許可された車両の車種及び車ナンバーとが表示されていることを特徴とする。【選択図】        図５
2004195883.tif 000002
【特許請求の範囲】
【請求項１】
２つの車両通行用媒体を組み合わせて、特定の場所へ入場する車両の通行管理を行う際に用いる車両通行用媒体セットであって、
前記２つの車両通行用媒体の内、第１の車両通行用媒体には、基材シートに記憶手段を有する非接触ＩＣタグが内蔵され、前記記憶手段に車両通行用媒体毎に異なる識別番号と、車両通行用媒体の有効期間に関する情報とが記憶され、
また、第２の車両通行用媒体には、前記識別番号と、前記有効期間に関する情報と、通行が許可された車両の車種及び車ナンバーとが表示されていることを特徴とする車両通行用媒体セット。
【請求項２】
前記有効期間に関する情報が、有効期間及び有効期間の区分であることを特徴とする請求項１記載の車両通行用媒体セット。
【請求項３】
前記第１の車両通行用媒体が、カード形状を有していることを特徴とする請求項１記載の車両通行用媒体セット。
【発明の詳細な説明】
【０００１】
【発明の属する技術分野】
本発明は、特定の場所へ入場する車両の通行管理を行う際に用いる車両通行用媒体セットに関する。
【０００２】
【従来の技術】
従来、国内外で開催されるイベントとして、例えば、国際会議、スポーツ国際大会、国際展示会、博覧会などの国際イベントや、国内での各種スポーツイベント、展示会、セミナーなど様々なイベントが開催されている。
また、このようなイベントが開催される場合には、その会場に様々な業務関係者の車両が多数出入りする。
これらの車両としては、例えば、会場建設中においては、建設資材を搬入したり、残土を搬出するトラック、建設現場の工事関係者の車両、会場の運営スタッフの車両、協賛企業の視察団などの車両、また開催中においては、会場内の売店に食料や飲料水を搬入する食品提供業者の車両などがある。
【０００３】
近年、これらの車両の入場管理を効率的に行うシステムとして、入場者に非接触方式のＩＣ記憶媒体からなる車両通行用媒体を発行し、入場者が入場する際にこれを所持し、入場口に設置された入場ゲートの非接触リーダーで無線により入場者が所持する非接触方式の車両通行用媒体から識別ＩＤを読み取り、更に予め登録された識別ＩＤと、読み取られた識別ＩＤとを照合処理することで、入場許可の判定を行うシステムがある。
これらの車両通行用媒体としては、本人の顔写真や個人情報を表示して目視によりチェックするものや、機械的な処理が行われるようにするために、ＩＣカードやＩＣタグなどの記憶媒体を用いた車両通行用媒体が知られている。（例えば、特許文献１乃至３参照）
【０００４】
しかしながら、これらの記憶媒体による車両通行用媒体は、確認のための処理効率が向上するという利点がある反面、コストが高くまた資源的により多くの資源を消費するという問題がある。
特に、１日や数日間などの短期間だけの入場を行う場合でも、入場者毎に個人情報を書き換えできないように表示して車両通行用媒体を発行するために、その一定期間が経過した場合でも、この車両通行用媒体を他の者にリサイクル化して再使用できないため、廃棄することになり、省資源上の無駄が生じるという問題があり好ましくない。
【０００５】
【特許文献１】
特開平６−８９２８４号公報
【特許文献２】
特開平６−２９９７９９号公報
【特許文献３】
特開２００１−１４６８９９号公報
【０００６】
【発明が解決しようとする課題】
本発明は、記憶手段を有する車両通行用媒体においても、１度使用された車両通行用媒体でも、その後に回収して何回でも異なる人に再発行して使用できるようにして、省資源化を図ることを可能にした車両通行用媒体セットを提供する。
【０００７】
【課題を解決するための手段】
本発明の車両通行用媒体セットは、２つの車両通行用媒体を組み合わせて、特定の場所へ入場する車両の通行管理を行う際に用いる車両通行用媒体セットであって、前記２つの車両通行用媒体の内、第１の車両通行用媒体には、基材シートに記憶手段を有する非接触ＩＣタグが内蔵され、前記記憶手段に車両通行用媒体毎に異なる識別番号と、車両通行用媒体の有効期間に関する情報とが記憶され、また、第２の車両通行用媒体には、前記識別番号と、前記有効期間に関する情報と、通行が許可された車両の車種及び車ナンバーとが表示されていることを特徴とする。
【０００８】
また、本発明の車両通行用媒体セットは、前記有効期間に関する情報が、有効期間及び有効期間の区分であることを特徴とする。
【０００９】
更に、本発明の車両通行用媒体セットは、前記第１の車両通行用媒体が、カード形状を有していることを特徴とする。
【００１０】
【発明の実施の形態】
以下、本発明の実施の形態を図面に基づいて詳細に説明する。
図１は、本発明の実施形態に係る車両通行用媒体セットにおける第１の車両通行用媒体の平面図、図２は、図１のＡ−Ａ線断面図、図３は、非接触ＩＣタグの一例を示す平面図、図４は、本発明の実施形態に係る車両通行用媒体セットにおける第２の車両通行用媒体の平面図、図５は、本発明の実施形態に係る車両通行用媒体セットの使用方法を説明する図である。
【００１１】
本発明の実施形態に係る車両通行用媒体セットは、第１の車両通行用媒体１ａと第２の車両通行用媒体１ｂからなり、これらの２つの車両通行用媒体を組み合わせて使用する車両通行用媒体セットであり、図１に示す第１の車両通行用媒体１ａを車両１２の運転手が所持し、また、図４に示す第２の車両通行用媒体１ｂを、車両１２の窓部内側における外部から目視しやすい位置に設けることで使用するものである。
【００１２】
第１の車両通行用媒体１ａは、図１に示すように、全体形状が略矩形状からなるカード形状を有し、その基材シート２ａ，２ｂとしては、プラスチック等の合成樹脂のシートが複数枚重合されて構成されている。
また、各々の基材シート２ａ，２ｂ上に透明保護フィルムを積層させて設けてもよい。
【００１３】
基材シート２ａの表面には、車両通行用媒体毎に定められた固有の識別番号４と、その第１の車両通行用媒体１ａを使用して入場可能な有効期間の種別を示す種別情報５と、「業務入場証」の文字６などが表示されている印字部を有している。
ここで、有効期間の種別を示す種別情報５とは、例えば、「一定期間」などのように、その車両通行用媒体１ａ自体は、複数の人間に対して再発行して用いられ、随時、その車両通行用媒体１ａが発行された人間が、予め定められた一定期間だけ、その車両通行用媒体１ａを使用できることを示す表示が印字されているものである。
【００１４】
この一定期間とは、例えば、１日間、１週間、１ヶ月間など車両通行用媒体１ａの発行者側が、入場者の業務などで入場の必要性に応じて随時判断して定めた期間である。
例えば、イベント会場の建設工事のために、工事関係者に車両通行用媒体１ａを発行して入場管理を行う必要がある全期間が１年間あったとすると、この全期間の間を通して入場を行う必要がある特定の業者担当者に対しては、車両通行用媒体１ａの有効期間の種別を示す種別情報５として、「全期間」の表示を行ない、また、上記したように、全期間の１年間の内に、所定の期間だけを定めて資材の搬入などを行う業者の運転手などに発行する車両通行用媒体には、「一定期間」の表示を行う。
このように、有効期間の種別情報５は、車両通行用媒体１ａの有効期間として一定期間であるか否かの種別を定めた情報である。
【００１５】
したがって、第１の車両通行用媒体１ａに「一定期間」の表示が行われている第１の車両通行用媒体１ａは、発行された人間の業務が終了した際に、回収して再度リサイクルして、別の人間に発行できるように、有効期間の表示領域に「一定期間」の表示を行うことで、その車両通行用媒体１ａが一時的に発行される車両通行用媒体であることがわかるようにしてある。
この「一定期間」の表示が行われている第１の車両通行用媒体１ａは、複数の人間に再利用可能とするために、発行された人間の氏名などの個人情報は一切表示されていない。
【００１６】
また、第１の車両通行用媒体１ａの基材シート２ａ，２ｂの間には、非接触ＩＣタグ３が内蔵されている。
非接触ＩＣタグ３を内蔵する構成については、特に限定されたものではないが、基材シート２ｂの表面に非接触ＩＣタグ３を埋設させるための凹部７を形成し、この凹部７内に非接触ＩＣタグ３を設置させた状態で、２枚の基材シート２ａ，２ｂを重ね合わせて接着させると、車両通行用媒体１の厚みが均一となり、また非接触ＩＣタグ３が外部から保護されて好ましい。
【００１７】
この非接触ＩＣタグ３の一例を図３に示す。
非接触ＩＣタグ３は、非接触データキャリアやＦＲ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は、導通部材３４により基材３１の裏面でジャンピング回路を形成してコイル接続端子３３ＣによりＩＣチップ３２の裏面のバンプに接続している。
【００１８】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
【００１９】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては、銅箔やアルミ箔あるいは鉄箔を使用できるが、コスト、加工性からアルミ箔が好ましく、その厚みは６〜５０μｍ程度が好ましい。
【００２０】
これらの記録した情報の読み取りは、非接触ＩＣタグ３対して共振する呼び出し信号を発信し、数ｃｍから数十ｃｍの距離で非接触ＩＣタグ３からの応答信号を読み、且つ非接触ＩＣタグ３に記録することができる。
装置としては固定した常設のリーダライタ付きターミナルやのほか、無線式のハンディー端末等を使用することができる。
【００２１】
非接触ＩＣタグ３の記憶手段には、第１の車両通行用媒体１ａ毎に異なる識別番号と、第１の車両通行用媒体１ａの有効期間に関する情報とが記憶されている。
この識別番号は、第１の車両通行用媒体１ａの表面に表示されている識別番号４と同一の情報であり、第１の車両通行用媒体１ａの有効期間に関する情報とは、この第１の車両通行用媒体が発行された人間に対して発行者側から入場を許可した期間に関する情報である。
この発行者側から入場を許可した期間は、暦による日付に基づいて特定され、識別番号と関連付けられてデータベースに登録され、管理用のコンピュータによる確認処理が可能になっている。
【００２２】
第２の車両通行用媒体１ｂは、図４に示すように、紙や合成紙等からなる表示可能なシートであれば、特に限定されない。
この第２の車両通行用媒体１ｂには、第１の車両通行用媒体１ａに記憶された識別番号と同じ識別番号８と、有効期間に関する情報９と、通行が許可された車両１２の車種１０及び車ナンバー１１とが表示されている。
【００２３】
次に、本発明の実施形態に係る車両通行用媒体セットの使用方法について説明する。
車両１２の運転手が車両通行用媒体セットを使用して、通行管理された場所に入場する場合には、第１の車両通行用媒体１ａを携帯するか、または車内に搭載して、いつでも取り出せるようにしておく。
また、第２の車両通行用媒体１ｂは、テープ等で車両１２のフロントガラスの内側に貼り付けたり、またはクリアケース等に入れてフロントガラスの内側に立て掛けておき、外部から目視で印字部の表示を見られる状態にしておく。
【００２４】
そして、車両１２が入場口ゲートにさしかかると、運転手は、第１の車両通行用媒体１ａを取り出して、入場口ゲートに設けられているアンテナに第１の車両通行用媒体１ａを近づける。
これにより、第１の車両通行用媒体１ａに記憶されている識別情報が読み取られて、予め登録されている照合用の識別情報及び有効期間と照合され、識別情報の照合一致と、有効期間が予め登録された期間内であると判定された場合に、入場口ゲートがオープン状態となりそのまま通過することができる。
また、もしも識別情報の照合が不一致であったり、有効期間が予め登録された期間外であると判定された場合には、入場口ゲートのゲートが降りて車両１２の通行を阻止する。
【００２５】
入場口ゲート付近には、通行する車両１２を監視する守衛が、通行する車両１２のフロントガラス内に設けられている第２の車両通行用媒体１ｂを目視することで、車両１２の簡単なチェックを行なっている。
また、システムが正常で、異常表示がされた場合は、第１の車両通行用媒体１ａに故障があると想定して、守衛は、運転手に第１の車両通行用媒体１ａの提示を求める。
守衛は、運転手から渡された第１の車両通行用媒体１ａと、車両内の第２の車両通行用媒体１ｂとに表示されている識別情報が一致されているか否か、更に第２の車両通行用媒体１ｂに表示されている車両１２の車種と車ナンバーを、実物の車両１２を見て一致するか否か、を確認する。
【００２６】
そして、守衛は、第１の車両通行用媒体１ａに記憶された識別情報をハンディ型読取器で読み取りを行なってみて、読み取れた場合には、その車両１２の通行を許可し、読み取った情報をサーバに記憶させる。
また、ハンディ型読取器で読み取れない場合には、守衛は、その車両１２の通行を拒否する。
【００２７】
また、システムが故障している場合には、守衛が運転手に、第１の車両通行用媒体１ａの提示を求めて、運転手から渡された第１の車両通行用媒体１ａと、車両内の第２の車両通行用媒体１ｂとに表示されている識別情報が一致されているか否か、更に第２の車両通行用媒体１ｂに表示されている車両１２の車種と車ナンバーを、実物の車両１２を見て一致するか否か、を確認し、これらが一致することを確認して、第２の車両通行用媒体１ｂに表示されている有効期間を基準に、その車両１２の通行の許諾を判断して運転手に指示する。
【００２８】
【発明の効果】
以上説明したように、本発明の車両通行用媒体セットは、第１の車両通行用媒体だけに記憶手段を設けているので、何回でも異なる人に再発行することが可能であり、省資源化を図れるという効果がある。
【図面の簡単な説明】
【図１】本発明の実施形態に係る車両通行用媒体セットにおける第１の車両通行用媒体の平面図である。
【図２】図１のＡ−Ａ線断面図である。
【図３】非接触ＩＣタグの一例を示す平面図である。
【図４】本発明の実施形態に係る車両通行用媒体セットにおける第２の車両通行用媒体の平面図である。
【図５】本発明の実施形態に係る車両通行用媒体セットの使用方法を説明する図である。
【符号の説明】
１ａ  第１の車両通行用媒体
１ｂ  第２の車両通行用媒体
２ａ，２ｂ  基材シート
３  非接触ＩＣタグ
４，８  識別番号
５  種別情報
６  文字
７  凹部
９  有効期間に関する情報
１０  車種
１１  車ナンバー
１２  車両
３１  基材
３２  ＩＣチップ
３３  コイルパターン
３３Ｃ  コイル接続端子
３４  導通部材
【図１】
2004195883.tif 000003
【図２】
2004195883.tif 000004
【図３】
2004195883.tif 000005
【図４】
2004195883.tif 000006
【図５】
2004195883.tif 000007